(57)【要約】      （修正有）【課題】スタジオ内の司会者、現場の観衆と受信者との間に好ましい対話が得られるディジタルリアルタイム対話型番組システムを提供する。【解決手段】メインサーバーが少なくとも１以上のクライアントビデオ信号を選択して該リアルタイム式ディジタルビデオ信号に整合させると、該メインサーバーが該クライアントビデオ信号と該リアルタイム式ディジタルビデオ信号とを該デコーデックに送信し、該コーデックが該クライアントビデオ信号と該リアルタイム式ディジタルビデオ信号とをディジタル式リアルタイム対話型ビデオ信号に転換して該メインサーバーに送信し、該メインサーバーが該ディジタル式リアルタイム対話型ビデオ信号を該クライアント端末に送信し、クライアント端末においてリアルタイム対話型画面を再生する。【選択図】図１
2005198313.tif 000002
【特許請求の範囲】
【請求項１】
コーデック（CODEC）と、メインサーバーと、少なくとも１以上のクライアント端末とを含んでなり、
該コーデックは、録画録音デバイスの収録した画像と音声信号をリアルタイム式ディジタルビデオ信号に転換し、該リアルタイム式ディジタルビデオ信号を該メインサーバーに送信して後続の処理に供し、
該クライアント端末においてはリアルタイム式ディジタルビデオ信号をメインサーバーに送信可能であって、
該メインサーバーと、該コーデックと、該クライアント端末との間において、該メインサーバーがリアルタイム式ディジタルビデオ信号をクライアント端末に送信すると該リアルタイム式該ディジタルビデオ信号に基づいて、クライアント端末において録画録音デバイスの収録した画像と音声をリアルタイムで再生するリアルタイム画面を表示し、
該メインサーバーが少なくとも１以上のクライアントビデオ信号を選択して該リアルタイム式ディジタルビデオ信号に整合させると、該メインサーバーが該クライアントビデオ信号と該リアルタイム式ディジタルビデオ信号とを該デコーデックに送信し、
該コーデックが該クライアントビデオ信号と該リアルタイム式ディジタルビデオ信号とをディジタル式リアルタイム対話型ビデオ信号に転換して該メインサーバーに送信し、
該メインサーバーが該ディジタル式リアルタイム対話型ビデオ信号を該クライアント端末に送信し、
該ディジタル式リアルタイム対話型ビデオ信号を受信することが可能であるクライアント端末において、該ディジタル式リアルタイム対話型ビデオ信号に基づいてリアルタイム対話型画面を再生するステップで処理を行い、
該リアルタイム対話型画面は、リアルタイム画面領域とクライアントリアルタイム画面領域とを含んでなり、該クライアント端末において、該リアルタイム画面領域からリアルタイム画面を見ることができ、該クライアントリアルタイム画面領域から該メインサーバーの選択したクライアントビデオ信号によって再生されるクライアントリアルタイム画面を見ることができる画面であること、を特徴とするディジタルリアルタイム対話型番組システム。
【請求項２】
前記メインサーバーとクライアント端末との間に、少なくとも１以上のクライアント端末に接続し、該ライアント端末から入力するクライアントビデオ信号を該メインサーバーに送信して後続の処理に供し、かつ該メインサーバーから送信するリアルタイム式ディジタルビデオ信号を受信して該リアルタイム式ディジタルビデオ信号を受信することが可能なクイアント端末に送信してリアルタイム画面の再生に提供する、従属サーバーを複数設けることを特徴とする請求項１に記載のディジタルリアルタイム対話型番組システム。
【請求項３】
前記メインサーバーが、クライアントのユーザーネームと、該ユーザーネームに配給する暗証番号と、該びユーザーネームに対応するクライアント基本データを含む全クライアント端末データベースと、
該全クライアント端末データベースに基づいて構築され、該ユーザーネームと、それぞれのユーザーネームに対応する接続ステータスを含み、それぞれのクライアントのリンクの状態を表示するクライアントステータス記録表と、
該メインサーバーによって起動するクライアント登録認識メカニズムと、を具え、
該メインサーバーが該クライアント登録認識メカニズムを起動してクライアント端末にユーザーネームの入力と暗証番号の識別要求を行い、該クライアント端末が該全クライアント端末データベースに保存されたユーザーネームと暗礁番号に符号するユーザーネームと暗礁番号を入力すると、該クライアント端末のユーザービデオ信号が該メインサーバーによって選択されて受信され、かつ該メインサーバーが該クライアントステータス記録表を更新し、該クライアント端末のステータス表示をオンライン中に変更すること、を特徴とする請求項１に記載のディジタルリアルタイム対話型番組システム。
【請求項４】
前記メインサーバーが、クライアントビデオ信号の内容を確認するプレビューメカニズムをさらに具え、該クライアントビデオ信号の内容が適宜なものであることを確認した後、該クライアントビデオ信号と該リアルタイム式ディジタルビデオ信号とを該コーデックに送信して後続の処理に供することを特徴とする請求項１に記載のディジタルリアルタイム対話型番組システム。
【請求項５】
前記メインサーバーが、情報ビデオ信号をさらに提供し、該情報ビデオ信号と、クライアントビデオ信号と、リアルタイム式ディジタルビデオ信号とを該コーデックに送信し、該コーデックによってリアルタイム式ディジタル対話型ビデオ信号に転換し該てメインサーバーに送信してクライアント端末に送信し、該クライアント端末において該リアルタイム式ディジタル対話型ビデオ信号受信し、これに基づきリアルタイム画面を再生するリアルタイム画面領域と、該メインサーバーの選択したクライアントビデオ信号によって再生されるクライアントリアルタイム画面を再生するクライアントリアルタイム画面領域と、及び該メインサーバーの提供する情報ビデオ信号によって再生される情報画面を再生するリアルタイム情報領域と、を含むリアルタイム式対話型画面を再生すること、を特徴とする請求項１に記載のディジタルリアルタイム対話型番組システム。
【請求項６】
前記クライアント端末が、リアルタイム式ディジタルビデオ信号と、リアルタイム式対話型ディジタルビデオ信号と、情報画面を含むリアルタイム対話型画面とを処理するビデオ再生ソフトウエアを具える情報処理ユニットと、
該ビデオ再生ソフトウエアが該リアルタイム式ディジタルビデオ信号と、リアルタイム式対話型ディジタルビデオ信号とを処理した後、リアルタイム画面と、リアルタイム対話型画面と、情報画面を含むリアルタイム対話型画面を表示する表示装置と、
該リアルタイム画面と、該リアルタイム対話型画面か、該情報画面を含むリアルタイム対話型画面とに対応する音声を再生する音声再生装置と、
画像をキャプチャしてクライアントビデオ信号を発生させる画像キャプチャ装置と、
音声をキャプチャしてクライアント音声信号を発生させる集音装置と、
該従属サーバーが該クライアント端末に対して要求する登録認識に係る情報を入力する入力装置と、を含んでなり、
該情報処理ユニットによって、該クライアントビデオ信号と該音声信号とを処理してクライアントビデオ信号に転換して該メインサーバーに送信することを特徴とする請求項２に記載のディジタルリアルタイム対話型番組システム。
ことを特徴とする請求項２に記載のディジタルリアルタイム対話型番組システム。
【請求項７】
前記クライアント端末がコンピュータか、ケーブルテレビか、もしくはディジタルテレビであることを特徴とする請求項１に記載のディジタルリアルタイム対話型番組システム。
【請求項８】
前記メインサーバーが該従属サーバーを介して少なくとも１以上のクライアントビデオ信号を選択して受信し、該クライアントビデオ信号とリアルタイム式ディジタルビデオ信号とを該コーデックに送信し、該コーデックによって該クライアントビデオ信号とリアルタイム式ディジタルビデオ信号とをリアルタイム式ディジタル対話型ビデオ信号に転換して該メインサーバーに送信し、該メインサーバーが該リアルタイム式ディジタル対話型ビデオ信号を該従属サーバーに送信し、該従属サーバーを介して該リアルタイム式ディジタル対話型ビデオ信号を受信することが可能なクライアント端末に送信し、該クライアント端末が該リアルタイム式ディジタル対話型ビデオ信号に基づいてリアルタイム式対話型画面を再生することを特徴とする請求項２に記載のディジタルリアルタイム対話型番組システム。
【請求項９】
前記従属サーバーが、クライアント登録認証データベースと、クライアント登録認識メカニズムとを含み、該クライアント登録認証データベースが少なくとも１以上のユーザーネームと、それぞれのユーザーネームに配給される暗礁番号と、該ユーザーネームに対応するクライアント基本データとを含み、
該メインサーバーは全クライアント端末データベースと、クライアントステータス記録表とを具え、該全クライアント端末データベースは該クライアント登録認証データベースに基づいて構築され、該クライアントステータス記録表は該全クライアント端末データベースに基づいて構築され、それぞれのクライアントのリンクの状態を表示するものであって、ユーザーネームと、それぞれのユーザーネームに対応する接続ステータスを含み、
該クライアント端末がクライアントビデオ信号を該従属サーバーに送信して該メインサーバーのクライアントビデオ信号の選択に供する場合、該メインサーバーと、該従属サーバーと、該クライアント端末との間において、該従属サーバー７が該クライアント端末の要求に基づいて該クライアントビデオ信号にかかるデータを送信して該クライアント登録認証メカニズムを起動し、
該従属サーバーが該クライアント登録認証メカニズムを利用して該クライアント端末にユーザーネームと暗証番号の入力を要求し、
該クライアント端末の入力したユーザーネームについて、該クライアント登録認証データベースから符合するユーザーネームが存在するか検索し、存在すれば該クライアント端末の入力した暗証番号が該クライアント登録認証データベースに存在するユーザーネームに対応する暗証番号に符合するか判断し、かつ符号すれば該従属サーバー７が該クライアント端末からのクライアントビデオ信号の送信を許容し、かつ登録認証を完成させた該クライアント端末の登録認証に係るデータを該メインサーバーに送信し、
該メインサーバーが登録認証を完成させた儀クライアント端末の登録認証に係るデータに基づき、該クライアントステータス記録表の該クライアント端末に対応するステータス表示を更新し、該クライアント端末と該従属サーバーとがリンクしている状態を表示するステップを実行すること、を特徴とする請求項２に記載のディジタルリアルタイム対話型番組システム。
【請求項１０】
前記クライアント端末から該従属サーバーにリンクできない場合、該クライアント端末が最も近い、もしくは帯域が最も広い従属サーバー７を自動的にサーチしてリンクし、該クライアント端末が登録認証を完成させた後、継続してクライアントビデオ信号を提供することを特徴とする請求項２に記載のディジタルリアルタイム対話型番組システム。
【請求項１１】
前記クライアント端末と該従属サーバーとの間をローカルネットワーク、インターネットワーク、ワイヤレスネットワーク、ケーブルネットワーク、もしくはケーブルテレビネットワークによってリンクして信号の送信を行うことを特徴とする請求項２に記載のディジタルリアルタイム対話型番組システム。
【請求項１２】
前記従属サーバーと該メインサーバーとの間をローカルネットワーク、インターネットワーク、ワイヤレスネットワーク、ケーブルネットワーク、ケーブルテレビネットワーク、もしくは放送衛星によってリンクして信号の送信を行うことを特徴とする請求項２に記載のディジタルリアルタイム対話型番組システム。
【請求項１３】
前記サーバーが登録認証を完成させたクライアント端末の登録認証に係るデータに基づき、該クライアントステータス記録表の該クライアント端末に対応するステータス表示を更新し、該クライアント端末と該従属サーバーとがリンクしている状態を表示し、該メインサーバーが該クライアントステータス記録表から該従属サーバーにリンクしているクライアント端末を任意に選択し、該クライアントビデオ信号を受信し、選択した該クライアントビデオ信号とリアルタイム式ディジタルビデオ信号とを該コーデックでリアルタイム式ディジタル対話型ビデオ信号に転換し、さらに該メインサーバーによって該リアルタイム式ディジタル対話型ビデオ信号を該従属サーバーに送信して、該従属サーバーから該クライアント端末に送信し、該リアルタイム式ディジタル対話型ビデオ信号に基づき、該クライアント端末においてリアルタイム式対話型画面を再生することを特徴とする請求項３に記載のディジタルリアルタイム対話型番組システム。
【請求項１４】
前記サーバーが登録認証を完成させたクライアント端末の登録認証に係るデータに基づき、該クライアントステータス記録表の該クライアント端末に対応するステータス表示を更新し、該クライアント端末と該従属サーバーとがリンクしている状態を表示し、該メインサーバーが該クライアントステータス記録表から該従属サーバーにリンクしているクライアント端末を任意に選択し、該クライアントビデオ信号を受信し、選択した該クライアントビデオ信号とリアルタイム式ディジタルビデオ信号とを該コーデックでリアルタイム式ディジタル対話型ビデオ信号に転換し、さらに該メインサーバーによって該リアルタイム式ディジタル対話型ビデオ信号を該従属サーバーに送信して、該従属サーバーから該クライアント端末に送信し、該リアルタイム式ディジタル対話型ビデオ信号に基づき、該クライアント端末においてリアルタイム式対話型画面を再生することを特徴とする請求項９に記載のディジタルリアルタイム対話型番組システム。
【発明の詳細な説明】
【技術分野】
【０００１】
この発明は、ディジタルリアルタイム対話型番組システムに関する。
【背景技術】
【０００２】
目下、情報技術が世界的に発達した時代に至った。計算機から派生したハイテク製品、モバイルタイプの通信デバイス、これらに関連する各種周辺デバイスについても急速な発展を遂げていて、人と人との時間的な、空間的な距離を縮小し、人々の生活に密接に関連している。また、インターネット通信にかかる製品は、新規な製品が次々と現れて、生活に密接したものとなっている。ネットワークは、中枢神経のシステムに例えることができ、その通信範囲は全面的なものとなっている。ネットワークシステムは人と人との距離を縮小することができる。過去において、人々は多くも時間と経費を費やして遠くの人と会うことができたが、今日においてはネットワーク技術における画像、音声を含むマルチメディア機能を通じて通信することで、画像と音声を世界各地に送信することができる、インターネットは情報の流通に不可欠のルートとなっている。
【０００３】
上述するとおり、インターネットの急速な発展により、従来の電子メールの送受信サービス以外に、音声、画像、及びアクティブな映像など、様々なマルチメディア機能によるサービスを提供できるようになった。よって、ユーザーはかかるルートを介して多種多様の情報サービスの提供を受けることができるようになった。したがって、インターネットは人々の日常生活の一環となっている。ネットワーク業者はかかる潮流に乗って、例えばケーブルモデム、ＡＤＳＬモデムなど様々な高速ネットワーク設備を開発し、送信速度を高めている。さらに、一部のネットワーク業者は、ＶｏＩＰ（Voice  Over  IP  Device）などの様々なネットワーク周辺デバイスを開発し、ネットワークを介したオンライン通信サービスを提供し、従来の電話による長距離電話、もしくは国際電話の費用の大幅な節減を達成している。また、ＶｏＤ（Video  on  Demand）と称し、消費者がサーバーから随時ビデオデータを取り寄せ、即再生できる技術が開発されている。かかるＶｏＤ技術は画像と音声を含むため、メディア業者に適したものであり、消費者が希望するデータを自由に選択できるという目的を達成するために、対話型の効果を達成している。よって、ＶｏＤの普及は予期できるものである。
【０００４】
目下、メディア事業は、一部のチャネルを除いて、ビデオ信号をディジタルＴＶ信号に転換するためのセットアップボックスを取り付けた受信端に送信し、ディジタルＴＶ信号による高画質の画面を提供している。但し、番組の作成と放送については、従来の方法のままであり、実質的なディジタル対話型のサービス方式を達成していない。いわゆる対話型サービスによる対話型のザービス形態とは、受信するユーザーが放映の過程を完全に制御でき、同時にマルチプレーヤーによるゲームの進行、ブックマークの設定、リモート取り扱い説明などを対話型で行うことのできるサービス指す。
【０００５】
例えば、スタジオからの生放送で、スタジオで録画と放送を進行させる際にコールインを行う場合、一般には受信端の受信者が直接電話をかけてリアルタイムで対話を行う。この場合、スタジオ内の司会者、スタジオ内の観衆、もしくはスタジオ内の制御室の作業員は、受信者を見ることができない。このため、番組全体の司会者、もしくはスタジオ内の司会者、スタジオ内の観衆と、電話をかける受信者との間に好ましい対話が発生せず、コールインの効果が大幅に下降する。また、制御室の作業員についても、電話を掛けて来る受信者を選択することができないため、番組の進行に干渉を受ける場合がある。
【０００６】
ディジタル式対話形態のサービス方式を生放送に応用することができれば、制御室の作業員は受信者の状況を効率良く把握することができ、かつ受信者の画像を現場に伝送してリアルタイムの対話を行うことができる。このため、スタジオ内の司会者、現場の観衆と受信者との間に、リアルタイムの画像と音声による好ましい対話が発生し、番組の効果を高めることができる。したがって、メディア事業においてディジタル式対話形態のサービス方式を如何にして達成するかは、極めて早急な達成が望まれる課題となっている。
【発明の開示】
【発明が解決しようとする課題】
【０００７】
この発明は、音声と画像による対話型のサービスを応用することによって、スタジオ内の司会者、現場の観衆と受信者との間に好ましい対話が得られるディジタルリアルタイム対話型番組システムを提供することを課題とする。
【０００８】
また、この発明はコールインするクライアントを選択できるディジタルリアルタイム対話型番組システムを提供することを課題とする。
【課題を解決するための手段】
【０００９】
そこで本発明者は、従来の技術に鑑み鋭意研究を重ねた結果、  録画録音デバイスの収録した画像と音声信号をリアルタイム式ディジタルビデオ信号に転換し、該リアルタイム式ディジタルビデオ信号を該メインサーバーに送信して後続の処理に供するコーデック（compressor/decompressor）と、メインサーバーと、リアルタイム式ディジタルビデオ信号をメインサーバーに送信可能な少なくとも１以上のクライアント端末とを含んでなり、
該メインサーバーと、該コーデックと、該クライアント端末との間において、該メインサーバーがリアルタイム式ディジタルビデオ信号をクライアント端末に送信すると該リアルタイム式該ディジタルビデオ信号に基づいて、クライアント端末において録画録音デバイスの収録した画像と音声をリアルタイムで再生するリアルタイム画面を表示し、
該メインサーバーが少なくとも１以上のクライアントビデオ信号を選択して該リアルタイム式ディジタルビデオ信号に整合させると、該メインサーバーが該クライアントビデオ信号と該リアルタイム式ディジタルビデオ信号とを該デコーデックに送信し、
該コーデックが該クライアントビデオ信号と該リアルタイム式ディジタルビデオ信号とをディジタル式リアルタイム対話型ビデオ信号に転換して該メインサーバーに送信し、
該メインサーバーが該ディジタル式リアルタイム対話型ビデオ信号を該クライアント端末に送信し、
該ディジタル式リアルタイム対話型ビデオ信号を受信することが可能であるクライアント端末において、該ディジタル式リアルタイム対話型ビデオ信号に基づいてリアルタイム対話型画面を再生するステップで処理を行うディジタルリアルタイム対話型番組システムによって課題を解決できる点に着眼し、係る知見に基づき本発明を完成させた。
以下、この発明について具体的に説明する。
【００１０】
請求項１に記載するディジタルリアルタイム対話型番組システムは、コーデック（compressor/decompressor）と、メインサーバーと、少なくとも１以上のクライアント端末とを含んでなり、
該コーデックは、録画録音デバイスの収録した画像と音声信号をリアルタイム式ディジタルビデオ信号に転換し、該リアルタイム式ディジタルビデオ信号を該メインサーバーに送信して後続の処理に供し、
該クライアント端末においてはリアルタイム式ディジタルビデオ信号をメインサーバーに送信可能であって、
該メインサーバーと、該コーデックと、該クライアント端末との間において、該メインサーバーがリアルタイム式ディジタルビデオ信号をクライアント端末に送信すると該リアルタイム式該ディジタルビデオ信号に基づいて、クライアント端末において録画録音デバイスの収録した画像と音声をリアルタイムで再生するリアルタイム画面を表示し、
該メインサーバーが少なくとも１以上のクライアントビデオ信号を選択して該リアルタイム式ディジタルビデオ信号に整合させると、該メインサーバーが該クライアントビデオ信号と該リアルタイム式ディジタルビデオ信号とを該デコーデックに送信し、
該コーデックが該クライアントビデオ信号と該リアルタイム式ディジタルビデオ信号とをディジタル式リアルタイム対話型ビデオ信号に転換して該メインサーバーに送信し、
該メインサーバーが該ディジタル式リアルタイム対話型ビデオ信号を該クライアント端末に送信し、
該ディジタル式リアルタイム対話型ビデオ信号を受信することが可能であるクライアント端末において、該ディジタル式リアルタイム対話型ビデオ信号に基づいてリアルタイム対話型画面を再生するステップで処理を行い、
該リアルタイム対話型画面は、リアルタイム画面領域とクライアントリアルタイム画面領域とを含んでなり、該クライアント端末において、該リアルタイム画面領域からリアルタイム画面を見ることができ、該クライアントリアルタイム画面領域から該メインサーバーの選択したクライアントビデオ信号によって再生されるクライアントリアルタイム画面を見ることができる画面である。
【００１１】
請求項２に記載するディジタルリアルタイム対話型番組システムは、請求項１におけるメインサーバーとクライアント端末との間に、少なくとも１以上のクライアント端末に接続し、該ライアント端末から入力するクライアントビデオ信号を該メインサーバーに送信して後続の処理に供し、かつ該メインサーバーから送信するリアルタイム式ディジタルビデオ信号を受信して該リアルタイム式ディジタルビデオ信号を受信することが可能なクイアント端末に送信してリアルタイム画面の再生に提供する、従属サーバーを複数設ける。
【００１２】
請求項３に記載とするディジタルリアルタイム対話型番組システムは、請求項１におけるメインサーバーが、クライアントのユーザーネームと、該ユーザーネームに配給する暗証番号と、該びユーザーネームに対応するクライアント基本データを含む全クライアント端末データベースと、
該全クライアント端末データベースに基づいて構築され、該ユーザーネームと、それぞれのユーザーネームに対応する接続ステータスを含み、それぞれのクライアントのリンクの状態を表示するクライアントステータス記録表と、
該メインサーバーによって起動するクライアント登録認識メカニズムと、を具え、
該メインサーバーが該クライアント登録認識メカニズムを起動してクライアント端末にユーザーネームの入力と暗証番号の識別要求を行い、該クライアント端末が該全クライアント端末データベースに保存されたユーザーネームと暗礁番号に符号するユーザーネームと暗礁番号を入力すると、該クライアント端末のユーザービデオ信号が該メインサーバーによって選択されて受信され、かつ該メインサーバーが該クライアントステータス記録表を更新し、該クライアント端末のステータス表示をオンライン中に変更する。
【００１３】
請求項４に記載するディジタルリアルタイム対話型番組システムは、請求項１におけるメインサーバーが、クライアントビデオ信号の内容を確認するプレビューメカニズムをさらに具え、該クライアントビデオ信号の内容が適宜なものであることを確認した後、該クライアントビデオ信号と該リアルタイム式ディジタルビデオ信号とを該コーデックに送信して後続の処理に供する。
【００１４】
請求項５に記載するディジタルリアルタイム対話型番組システムは、請求項１におけるメインサーバーが、情報ビデオ信号をさらに提供し、該情報ビデオ信号と、クライアントビデオ信号と、リアルタイム式ディジタルビデオ信号とを該コーデックに送信し、該コーデックによってリアルタイム式ディジタル対話型ビデオ信号に転換し該てメインサーバーに送信してクライアント端末に送信し、該クライアント端末において該リアルタイム式ディジタル対話型ビデオ信号受信し、これに基づきリアルタイム画面を再生するリアルタイム画面領域と、該メインサーバーの選択したクライアントビデオ信号によって再生されるクライアントリアルタイム画面を再生するクライアントリアルタイム画面領域と、及び該メインサーバーの提供する情報ビデオ信号によって再生される情報画面を再生するリアルタイム情報領域と、を含むリアルタイム式対話型画面を再生する。
【００１５】
請求項６に記載するディジタルリアルタイム対話型番組システムは、請求項２におけるククライアント端末が、リアルタイム式ディジタルビデオ信号と、リアルタイム式対話型ディジタルビデオ信号と、情報画面を含むリアルタイム対話型画面とを処理するビデオ再生ソフトウエアを具える情報処理ユニットと、
該ビデオ再生ソフトウエアが該リアルタイム式ディジタルビデオ信号と、リアルタイム式対話型ディジタルビデオ信号とを処理した後、リアルタイム画面と、リアルタイム対話型画面と、情報画面を含むリアルタイム対話型画面を表示する表示装置と、
該リアルタイム画面と、該リアルタイム対話型画面か、該情報画面を含むリアルタイム対話型画面とに対応する音声を再生する音声再生装置と、
画像をキャプチャしてクライアントビデオ信号を発生させる画像キャプチャ装置と、
音声をキャプチャしてクライアント音声信号を発生させる集音装置と、
該従属サーバーが該クライアント端末に対して要求する登録認識に係る情報を入力する入力装置と、を含んでなり、
該情報処理ユニットによって、該クライアントビデオ信号と該音声信号とを処理してクライアントビデオ信号に転換して該メインサーバーに送信する。
【００１６】
請求項７に記載するディジタルリアルタイム対話型番組システムは、請求項１におけるクライアント端末がコンピュータか、ケーブルテレビか、もしくはディジタルテレビである。
【００１７】
請求項８に記載するディジタルリアルタイム対話型番組システムは、請求項２におけるメインサーバーが該従属サーバーを介して少なくとも１以上のクライアントビデオ信号を選択して受信し、該クライアントビデオ信号とリアルタイム式ディジタルビデオ信号とを該コーデックに送信し、該コーデックによって該クライアントビデオ信号とリアルタイム式ディジタルビデオ信号とをリアルタイム式ディジタル対話型ビデオ信号に転換して該メインサーバーに送信し、該メインサーバーが該リアルタイム式ディジタル対話型ビデオ信号を該従属サーバーに送信し、該従属サーバーを介して該リアルタイム式ディジタル対話型ビデオ信号を受信することが可能なクライアント端末に送信し、該クライアント端末が該リアルタイム式ディジタル対話型ビデオ信号に基づいてリアルタイム式対話型画面を再生する。
【００１８】
請求項９に記載するディジタルリアルタイム対話型番組システムは、請求項２における従属サーバーが、クライアント登録認証データベースと、クライアント登録認識メカニズムとを含み、該クライアント登録認証データベースが少なくとも１以上のユーザーネームと、それぞれのユーザーネームに配給される暗礁番号と、該ユーザーネームに対応するクライアント基本データとを含み、
該メインサーバーは全クライアント端末データベースと、クライアントステータス記録表とを具え、該全クライアント端末データベースは該クライアント登録認証データベースに基づいて構築され、該クライアントステータス記録表は該全クライアント端末データベースに基づいて構築され、それぞれのクライアントのリンクの状態を表示するものであって、ユーザーネームと、それぞれのユーザーネームに対応する接続ステータスを含み、
該クライアント端末がクライアントビデオ信号を該従属サーバーに送信して該メインサーバーのクライアントビデオ信号の選択に供する場合、該メインサーバーと、該従属サーバーと、該クライアント端末との間において、該従属サーバー７が該クライアント端末の要求に基づいて該クライアントビデオ信号にかかるデータを送信して該クライアント登録認証メカニズムを起動し、
該従属サーバーが該クライアント登録認証メカニズムを利用して該クライアント端末にユーザーネームと暗証番号の入力を要求し、
該クライアント端末の入力したユーザーネームについて、該クライアント登録認証データベースから符合するユーザーネームが存在するか検索し、存在すれば該クライアント端末の入力した暗証番号が該クライアント登録認証データベースに存在するユーザーネームに対応する暗証番号に符合するか判断し、かつ符号すれば該従属サーバー７が該クライアント端末からのクライアントビデオ信号の送信を許容し、かつ登録認証を完成させた該クライアント端末の登録認証に係るデータを該メインサーバーに送信し、
該メインサーバーが登録認証を完成させた儀クライアント端末の登録認証に係るデータに基づき、該クライアントステータス記録表の該クライアント端末に対応するステータス表示を更新し、該クライアント端末と該従属サーバーとがリンクしている状態を表示するステップを実行する。
【００１９】
請求項１０に記載するディジタルリアルタイム対話型番組システムは、請求項２におけるクライアント端末から該従属サーバーにリンクできない場合、該クライアント端末が最も近い、もしくは帯域が最も広い従属サーバー７を自動的にサーチしてリンクし、該クライアント端末が登録認証を完成させた後、継続してクライアントビデオ信号を提供する。
【００２０】
請求項１１に記載するディジタルリアルタイム対話型番組システムは、請求項２におけるクライアント端末と該従属サーバーとの間をローカルネットワーク、インターネットワーク、ワイヤレスネットワーク、ケーブルネットワーク、もしくはケーブルテレビネットワークによってリンクして信号の送信を行う。
【００２１】
請求項１２に記載するディジタルリアルタイム対話型番組システムは、請求項２における従属サーバーと該メインサーバーとの間をローカルネットワーク、インターネットワーク、ワイヤレスネットワーク、ケーブルネットワーク、ケーブルテレビネットワーク、もしくは放送衛星によってリンクして信号の送信を行う。
【００２２】
請求項１３に記載するディジタルリアルタイム対話型番組システムは、請求項３におけるサーバーが登録認証を完成させたクライアント端末の登録認証に係るデータに基づき、該クライアントステータス記録表の該クライアント端末に対応するステータス表示を更新し、該クライアント端末と該従属サーバーとがリンクしている状態を表示し、該メインサーバーが該クライアントステータス記録表から該従属サーバーにリンクしているクライアント端末を任意に選択し、該クライアントビデオ信号を受信し、選択した該クライアントビデオ信号とリアルタイム式ディジタルビデオ信号とを該コーデックでリアルタイム式ディジタル対話型ビデオ信号に転換し、さらに該メインサーバーによって該リアルタイム式ディジタル対話型ビデオ信号を該従属サーバーに送信して、該従属サーバーから該クライアント端末に送信し、該リアルタイム式ディジタル対話型ビデオ信号に基づき、該クライアント端末においてリアルタイム式対話型画面を再生する。
【００２３】
請求項１４に記載するディジタルリアルタイム対話型番組システムは、請求項９におけるサーバーが登録認証を完成させたクライアント端末の登録認証に係るデータに基づき、該クライアントステータス記録表の該クライアント端末に対応するステータス表示を更新し、該クライアント端末と該従属サーバーとがリンクしている状態を表示し、該メインサーバーが該クライアントステータス記録表から該従属サーバーにリンクしているクライアント端末を任意に選択し、該クライアントビデオ信号を受信し、選択した該クライアントビデオ信号とリアルタイム式ディジタルビデオ信号とを該コーデックでリアルタイム式ディジタル対話型ビデオ信号に転換し、さらに該メインサーバーによって該リアルタイム式ディジタル対話型ビデオ信号を該従属サーバーに送信して、該従属サーバーから該クライアント端末に送信し、該リアルタイム式ディジタル対話型ビデオ信号に基づき、該クライアント端末においてリアルタイム式対話型画面を再生する。
【発明の効果】
【００２４】
本発明のディジタルリアルタイム対話型番組システムは、この発明は、生放送などにおいて、音声と画像による対話型のサービスを提供し、スタジオ内の司会者、現場の観衆と受信者との間に好ましい対話が得られるとともに、コールインするクライアントをあらかじめ確認して選択できるため、番組の効果を高めるという利点がある。
【発明を実施するための最良の形態】
【００２５】
この発明は、音声と画像による対話型のサービスを応用することによって、スタジオ内の司会者、現場の観衆と受信者との間に好ましい対話が得られるディジタルリアルタイム対話型番組システムを提供するものであって、メインサーバーと、録画録音デバイスの収録した画像と音声信号をリアルタイム式ディジタルビデオ信号に転換してメインサーバーに送信し後続の処理に供するコーデックと、クライアント端末とを含んでなり、該メインサーバーがリアルタイム式ディジタルビデオ信号をクライアント端末に送信するとこれに基づいてクライアント端末に録画録音デバイスの収録した画像と音声をリアルタイムで再生するリアルタイム画面を表示し、該メインサーバーが少なくとも１以上のクライアントビデオ信号を選択して該リアルタイム式ディジタルビデオ信号に整合させると、該メインサーバーが該クライアントビデオ信号と該リアルタイム式ディジタルビデオ信号とを該デコーデックに送信し、該コーデックが該クライアントビデオ信号と該リアルタイム式ディジタルビデオ信号とをディジタル式リアルタイム対話型ビデオ信号に転換して該メインサーバーに送信し、該メインサーバーが該ディジタル式リアルタイム対話型ビデオ信号を該クライアント端末に送信し、クライアント端末においてリアルタイム対話型画面を再生する。
かかるディジタルリアルタイム対話型番組システムについて、その特徴を詳述するために、具体的な実施例を挙げ、図面を参照にして以下に説明する。
【実施例】
【００２６】
この発明によるディジタル式リアルタイム対話型プログラムシステムは、図１に開示するようにコーデック（CODEC）１と、メインサーバー２と、少なくとも１以上のクライアント端末３とを含んでなる。
コーデック１は、録画録音デバイス４の収録した画像と音声信号をリアルタイム式ディジタルビデオ信号に転換するものであって、リアルタイム式ディジタルビデオ信号をメインサーバー２に送信して後続の処理に供する。また、クライアント端末３においてはリアルタイム式ディジタルビデオ信号をメインサーバー２に送信することができ、またクライアント端末において、メインサーバー２がリアルタイム式ディジタルビデオ信号をクライアント端末３に送信すると該リアルタイム式ディジタルビデオ信号を受信することができ、かつ該リアルタイム式該ディジタルビデオ信号に基づいてリアルタイム画面５（図２参照）を表示することができる。この場合、クライアント端末において録画録音デバイス４の収録した画像と音声をリアルタイムで再生することができる。
【００２７】
メインサーバー２が少なくとも１以上のクライアントのビデオ信号を選択して該リアルタイム式ディジタルビデオ信号に整合させると、メインサーバー２は該クライアントのビデオ信号と該リアルタイム式ディジタルビデオ信号とをデコーデック１に送信し、ディジタル式リアルタイム対話型ビデオ信号に転換してメインサーバー２に送信する。この場合、メインサーバー２は該ディジタル式リアルタイム対話型ビデオ信号を該クライアント端末３に送信する。クライアント端末３において、該ディジタル式リアルタイム対話型ビデオ信号を受信することが可能であって、該ディジタル式リアルタイム対話型ビデオ信号に基づいてリアルタイム対話型画面領域６（図３参照）を再生する。該リアルタイム対話型画面領域６は、リアルタイム画面領域６０とクライアントリアルタイム画面領域６２とを含んでなり、クライアント端末３において、該リアルタイム画面領域６０からリアルタイム画面５を見ることができ、該クライアントリアルタイム画面領域６２からメインサーバー２の選択したクライアントビデオ信号によって再生されるクライアントリアルタイム画面６２０を見ることができる。
【００２８】
テレビ番組の受信者数は、通常戸数が数万世帯から数十万世帯にまで至る。特に、受信率の高い番組、もしくは受信範囲の広い番組では、受信する戸数が百万世帯を上回る。ここでいう受信者は、この発明によるディジタル式リアルタイム対話型番組システムにおけるクライアント端末３に相当する。よって、メインサーバー２は何万、何十万、もしくは百万を超えるクライアント端末に接続することになる。これはメインサーバー２にとって極めて大きな負担となるのみならず、甚だしくは、このように膨大なネットワーク送信量を処理することができなくなる。そこで、メインサーバー２のネットワークリンクの接続過多とネットワーク送信量の増加を避けるために、この発明の他の実施形態では図４に開示するようにメインサーバー３とクライアント端末３との間に複数の従属サーバー（Slave  Sever）７を設ける。該従属サーバー７は少なくとも１以上のクライアント端末３に接続し、クライアント端末３において該従属サーバー７に入力するクライアントビデオ信号をメインサーバー２に送信して後続の処理に供する。また、メインサーバー２から送信するリアルタイム式ディジタルビデオ信号を受信してクライアント端末３に提供する。クライアント端末３においては該リアルタイム式ディジタルビデオ信号を受信することが可能であって、該リアルタイム式ディジタルビデオ信号に基づいてリアルタイム画面５を再生する。また、該メインサーバー２が従属サーバー７を介して選択した少なくとも１以上のクライアントビデオ信号を受信し、該クライアントビデオ信号とリアルタイム式ディジタルビデオ信号とをコーデック１に送信し、コーデック１によって該クライアントビデオ信号とリアルタイム式ディジタルビデオ信号とをリアルタイム式ディジタル対話型ビデオ信号に転換してメインサーバー２に送信する。この場合、メインサーバー２は該リアルタイム式ディジタル対話型ビデオ信号を従属サーバー７に送信し、従属サーバー７を介してクライアント端末３に提供する。クライアント端末３は該リアルタイム式ディジタル対話型ビデオ信号を受信することが可能であって、該リアルタイム式ディジタル対話型ビデオ信号に基づいてリアルタイム式対話型画面を再生する。
【００２９】
以上から分かるように、スタジオで生番組を進行させる場合、該スタジオにおいて録画録音デバイス４の収録した画像及び音声信号をコーデック１によってリアルタイム式ディジタルビデオ信号に転換し、メインサーバー２から従属サーバー７を介してそれぞれのクライアント端末３に送信し、クライアント端末３においては該リアルタイム式ディジタルビデオ信号に基づいてリアルタイム画面を再生する。よって、クライアント端末３において該番組の画像を見て、音声を聞くことができる。
【００３０】
また、クライアント端末３は従属サーバー７を介してクライアントビデオ信号をメインサーバー２に送信することができ、メインサーバー２から該クライアントビデオ信号をコーデック１に送信して該クライアントビデオ信号をリアルタイム式ディジタル対話型ビデオ信号に転換する。このため、クライアント端末３においては該リアルタイム式ディジタル対話型ビデオ信号に基づいてリアルタイム対話型画面６を再生することができる。この場合、該番組の司会者は、メインサーバー２の選択したクライアントビデオ信号に対応するクライアント端末３とリアルタイムで映像、音声による双方からのコミュニケーションを行うことができ、従来の生番組において電話の音声のみを介してコミュニケーションを行う際の欠点を改善することができる。
【００３１】
また、クライアント端末３のクライアントビデオ信号、及び其の他データは対応する従属サーバー７に送信され、直接メインサーバー２に送信されない。メインサーバー２はクライアント３の選択のみを行い、選択されたクライアントに対応する従属サーバー７からクライアントビデオ信号を受信する。かかる分散式の構造は、メインサーバー２がクライアント端末３からクライアントビデオ信号、もしくはその他データ受信することによって発生する負担を分散させることができる。例えば、クライアント端末３、従属サーバー７、もしくはメインサーバー３との間はネットワークによって接続する。よって、メインサーバー２は直接それぞれのクライアント３に対応するｔめ必要とする本来帯域がかなり広い。但し、上述する方式によれば、それぞれの従属サーバー７が対応するクライアント端末３のクライアントビデオ信号を受信し、メインサーバー２は直接従属サーバー７に接続する。したがって、クライアントビデオ信号を処理する場合にはじめてこれを受信する。このため、メインサーバー２の帯域の負担を軽減させることができる。
【００３２】
図５に開示するように、実施例においてメインサーバー２は、全クライアント端末データベース２０を含み、さらにクライアント登録認識メカニズム２２と、クライアントステータス記録表２４とを具える。全クライアント端末データベース２０はそれぞれのクライアントのユーザーネーム２００と、それぞれのユーザーネーム２００に配給する暗証番号２０２、及びユーザーネーム２００に対応するクライアント基本データ２０４を含む（図６参照）。クライアントステータス記録表２４は該全クライアント端末データベース２０に基づいて構築され、それぞれのクライアント３のリンクの状態を表示するものであって、ユーザーネーム２００と、それぞれのユーザーネームに対応する接続ステータス２０６を含む（図７参照）。
【００３３】
クライアント端末３がクライアントビデオ信号をメインサーバー２に送信して受信させようとする場合、該クライアント端末３はメインサーバー２に接続しなければならず、メインサーバー２が該クライアント登録認識メカニズム２２を起動し、該クライアント登録認識メカニズム２２を利用してクライアント端末３にユーザーネームの入力と暗証番号の識別要求を提供する。クライアント端末３が全クライアント端末データベース２０に保存されたユーザーネーム２００と暗礁番号２０２に符号するユーザーネームと暗礁番号を入力すると、該クライアント端末３のユーザービデオ信号がメインサーバー２によって選択されて受信される。同時に、メインサーバー２が該クライアントステータス記録表２４を更新し、該クライアント端末３のステータス表示をオンライン中に変更する。
【００３４】
この発明の実施例において、従属サーバー７は、クライアント登録認証データベース７０と、クライアント登録認識メカニズム２２を含む。クライアント登録認証データベース７０は、少なくとも１以上のユーザーネーム２００と、それぞれのユーザーネーム２００に配給される暗礁番号２０２と、ユーザーネーム２００に対応するクライアント基本データ２０４とを含む（図８参照）。メインサーバー２は全クライアント端末データベース２０と、クライアントステータス記録表２４とを具え、該全クライアント端末データベース２０はクライアント登録認証データベース７０に基づいて構築される。ライアントステータス記録表２４は該全クライアント端末データベース２０に基づいて構築され、それぞれのクライアント３のリンクの状態を表示するものであって、ユーザーネーム２００と、それぞれのユーザーネームに対応する接続ステータス２０２を含む（図７参照）。
【００３５】
クライアント端末３がクライアントビデオ信号を従属サーバー７に送信し、メインサーバー２のクライアントビデオ信号の選択に供する場合、メインサーバー２と、従属サーバー７と、該クライアント端末３との間においては、次に掲げるステップで処理を行う（図９参照）。
【００３６】
先ず、９０１のステップにおいて、従属サーバー７がクライアント端末３の要求に基づいてクライアントビデオ信号にかかるデータを送信してクライアント登録認証メカニズム２２を起動する。
【００３７】
次に、９０２のステップにおいて、該従属サーバー７がクライアント登録認証メカニズム２２を利用してクライアント端末３にユーザーネームと暗証番号の入力を要求する。
【００３８】
次に、９０３のステップにおいて、クライアント端末３の入力したユーザーネームについて、クライアント登録認証データベース７０から符合するユーザーネーム２００が存在するか検索し、存在すれば９０４のステップに進み、存在しなければ９０７のステップに進む。
【００３９】
次に、９０４のステップにおいて、クライアント端末３の入力した暗証番号、クライアント登録認証データベース７０に存在するユーザーネーム２００に対応する暗証番号２０２に符合するか判断し、符合すれば９０５のステップに進み。符合しなければ９０８のステップに進む。
【００４０】
次に、９０５のステップにおいて、従属サーバー７がクライアント端末からのクライアントビデオ信号の送信を許容し、かつ登録認証を完成させた該クライアント端末３の登録認証に係るデータをメインサーバー２に送信する。
【００４１】
次に、９０６のステップにおいて、メインサーバー２は登録認証を完成させたクライアント端末３の登録認証に係るデータに基づき、クライアントステータス記録表２４の該クライアント端末３に対応するステータス表示を更新し、該クライアント端末３と該従属サーバー７とがリンクしている状態を表示する。
【００４２】
９０７のステップにおいては、クライアント端末３に入力したユーザーネームが存在しないことを表すメッセージを送信する。
【００４３】
９０８のステップにおいては、クライアント端末３に入力した暗証番号が存在しないことを表すメッセージを送信する。
【００４４】
以上から分かるように、メインサーバー２はクライアント端末３とこれに対応する従属サーバー７とのリンクに係るステータスを知ることができ、クライアント端末３から直接クライアントビデオ信号、及び其の他情報を受信することなく、該従属サーバー７からクライアント端末３のクライアントビデオ信号、及び其の他情報を受信する。このため、メインサーバー２の負担を軽減させることができる。
【００４５】
実施例において、サーバー２は登録認証を完成させたクライアント端末３の登録認証に係るデータに基づき、クライアントステータス記録表２４の該クライアント端末３に対応するステータス表示を更新し、該クライアント端末３と該従属サーバー７とがリンクしている状態を表示する。次いで、メインサーバー２はクライアントステータス記録表２４から従属サーバー７にリンクしているクライアント端末３を任意に選択し、そのクライアントビデオ信号を受信し、選択した該クライアントビデオ信号とリアルタイム式ディジタルビデオ信号とをコーダ/デコーダ１でリアルタイム式ディジタル対話型ビデオ信号に転換し、さらにメインサーバー２によって該リアルタイム式ディジタル対話型ビデオ信号を従属サーバー７に送信して、従属サーバー７からクライアント端末３に送信し、該リアルタイム式ディジタル対話型ビデオ信号に基づき、クライアント端末３においてリアルタイム式対話型画面を再生する。
【００４６】
従属サーバー７の損傷、エラーが発生したり、もしくは其の他クライアント端末３にリンクできないような状況が発生したりすることを防ぐために、クライアント端末３は其の他ビデオ信号をメインサーバー３の選択に提供できないようにする。実施例において、クライアント端末３が従属サーバー７にリンクできない状況が発生した場合、該クライアント端末３は最も近い、もしくは帯域が最も広い従属サーバー７を自動的にサーチしてリンクし、クライアント端末３が登録認証を完成させた後、継続してクライアントビデオ信号を提供する、よって、リアルタイム式対話型画面の再生が中断することを防ぐことができる。
【００４７】
また、メインサーバー２はクライアントビデオ信号とリアルタイム式ディジタルビデオ信号とを整合する前にクライアントビデオ信号の内容を確認することができる。このため、該リアルタイム式対話型画面が番組に向かない、もしくは規範などにそぐわないものでないか判断することができる。即ち、実施例において、図５に開示するようにメインサーバー２はプレビューメカニズム２６をさらに具え、メインサーバー２は該プレビューメカニズム２６を利用してクライアントビデオ信号の内容を確認することができる。該クライアントビデオ信号２の内容が適宜なものであることを確認したあと、該クライアントビデオ信号と該リアルタイム式ディジタルビデオ信号とをコーデック１に送信して後続の処理に供する。
【００４８】
また、クライアント端末３がリアルタイム式対話型画面から番組に関する質疑応答、操作方法などなどの情報が得られるように、実施例においてメインサーバー２は、情報ビデオ信号をさらに提供し、該情報ビデオ信号と、クライアントビデオ信号と、リアルタイム式ディジタルビデオ信号とをコーデック１に送信し、コーデック１によってリアルタイム式ディジタル対話型ビデオ信号に転換してメインサーバー２に送信し、従属サーバー７を介してクライアント端末３に送信する。よってクライアント端末３において該リアルタイム式ディジタル対話型ビデオ信号受信して、これに基づき他のリアルタイム式対話型画面１０を再生する（図１０参照）。該リアルタイム式対話型画面１０は、リアルタイム画面領域６０と、クライアントリアルタイム画面領域６２と、リアルタイム情報領域６４とを含む。クライアント端末３において、リアルタイム画面領域６０でリアルタイム画面５を見ることができ、クライアントリアルタイム画面領域６２でメインサーバー２の選択したクライアントビデオ信号によって再生されるクライアントリアルタイム画面６２０を見ることができる。また、リアルタイム情報領域６４においてメインサーバー２の提供する情報ビデオ信号によって再生される情報画面６４０を見ることができる。このように、対話型の番組を進行させる場合、クライアント端末３において情報画面６４０から番組に関する質疑応答、操作方法などなどの情報を得ることができる。
【００４９】
図１１に開示するように、実施例においてクライアント端末３は情報処理ユニット３０（例えばコンピュータ本体、セットアップボックスなど）、表示装置３１、画像キャプチャ装置３２、集音装置３３、音声再生装置３４、入力装置３５（例えばキーボード、マウスなど）を含む。情報処理ユニット３０はビデオ再生ソフトウエア３００を具え、該ビデオ再生ソフトウエア３００はリアルタイム式ディジタルビデオ信号、リアルタイム式ディジタル対話型ビデオ信号を処理し、表示装置３１はリアルタイム画面５、リアルタイム対話型画面６、リアルタイム対話型画面１０を表示する。音声再生装置３４はリアルタイム画面５、リアルタイム対話型画面６、もしくはリアルタイム対話型画面１０に対応する音声を再生する。また、クライアント端末３は画像キャプチャ装置３２によって画像をキャプチャしてクライアントビデオ信号を発生させ、集音装置３３によって音声をキャプチャしてクライアント音声信号を発生させ、さらに情報処理ユニット３０によって該クライアントビデオ信号とクライアント音声信号とを処理してクライアントビデオ信号に転換し、メインサーバー２に直接送信するか、もしくは従属サーバー７を介してメインサーバー２に送信する。この他、入力装置３５によって従属サーバー７の要求する情報（ユーザーネーム、暗証番号、クライアント基本データなど）を入力することができる。
【００５０】
図１２に開示するように、実施例においてはクライアント端末３と従属サーバー７との間をローカルネットワーク、インターネットワーク、ワイヤレスネットワーク、ケーブルネットワーク、もしくはケーブルテレビネットワークによってリンクして信号の送信を行い、従属サーバー７と該メインサーバー２との間をローカルネットワーク、インターネットワーク、ワイヤレスネットワーク、ケーブルネットワーク、ケーブルテレビネットワーク、もしくは放送衛星などによってリンクして信号の送信を行う。また、ユーザー端末３は、例えばコンピュータ、ケーブルテレビ、もしくはディジタルテレビなどである。
【００５１】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００５２】
【図１】この発明によるディジタルリアルタイム対話型番組システムの構成を示した説明図である。
【図２】この発明におけるリアルタイム画面を示した説明図である。
【図３】この発明におけるリアルタイム対話型画面を示した説明図である。
【図４】この発明によるディジタルリアルタイム対話型番組システムの他の構成を示した説明図である。
【図５】この発明におけるメインサーバーの構造を示した説明図である。
【図６】この発明における全クライアント端末データベースの構造を示した説明図である。
【図７】この発明におけるクライアントステータス記録表を示した説明図である。
【図８】この発明におけるクライアント登録認識データベースの構造を示した説明図である。
【図９】この発明におけるメインサーバーと従属サーバーとクライアント端末との間の動作を示したフローチャートである。
【図１０】この発明における他の形態のリアルタイム対話型画面を示した説明図である。
【図１１】この発明におけるクライアント端末の構造を示した説明図である。
【図１２】この発明におけるディジタルリアルタイム対話型番組システムの構成とリンクを示した説明図である。
【符号の説明】
【００５３】
１            コーデック
１０          リアルタイム対話型画面
２            メインサーバー
２０          全クライアント端末データベース
２００        ユーザーネーム
２０２        暗証番号
２０４        クライアント基本データ
２０６        接続ステータス
２２          クライアント登録認識メカニズム
２４          クライアントステータス記録表
２６          プレビューメカニズム
３            クライアント端末
３０          情報処理ユニット
３００        ビデオ再生ソフトウエア
３１          表示装置
３２          画像キャプチャ装置
３３          集音装置
３４          音声再生装置
３５          入力装置
４            録画録音デバイス
５            リアルタイム画面
６            リアルタイム対話型画面領域
６０          リアルタイム画面領域
６２          ライアントリアルタイム画面領域
６２０        ライアントリアルタイム画面
６４          リアルタイム情報領域
６４０        情報画面
７            従属サーバー
７０          クライアント登録認証データベース
【図５】
2005198313.tif 000003
【図６】
2005198313.tif 000004
【図７】
2005198313.tif 000005
【図８】
2005198313.tif 000006
【図１】
2005198313.tif 000007
【図２】
2005198313.tif 000008
【図３】
2005198313.tif 000009
【図４】
2005198313.tif 000010
【図９】
2005198313.tif 000011
【図１０】
2005198313.tif 000012
【図１１】
2005198313.tif 000013
【図１２】
2005198313.tif 000014